(57)【要約】【課題】送信元の端末およびパケット処理装置のＶＬＡＮの設定に関わらず、容易に相互通信を行うことのできるパケット処理装置を提供すること。【解決手段】通信端末１０１から伝送されたパケットの宛先アドレスがパケット処理装置６０であるかを判断する宛先判断部１０と、タグ付きパケット７５からタグを分離するタグ分離部７０２と、タグ付きパケット７５から分離されたタグを保存するタグ保存メモリ７０４と、タグが分離されたタグ付きパケット７５を受信し、当該パケットの内容に応じた処理を行う中央処理部１２と、中央処理部１２から送信されたタグのないパケットにタグを付加するタグ付加部７０３とを備え、タグ付加部７０３によってタグが付加されたタグ付き返信パケットを前記通信端末に送信する。【選択図】　　図３
2004088718.tif 000002
【特許請求の範囲】
【請求項１】
通信端末から伝送されたタグ付き受信パケットの宛先アドレスが自装置宛であるかを判断する宛先判断部と、
宛先アドレスが自装置宛のタグ付き受信パケットからタグを分離するタグ分離部と、
前記タグ分離部で分離されたタグを保存するタグ保存部と、
前記タグ分離部によってタグが分離されたタグなし受信パケットの内容に応じて所定の処理を行い、タグなし返信パケットを生成するパケット処理部と、
前記タグなし返信パケットに前記タグ保存部に保存されているタグを付加するタグ付加部と、を備え、
前記タグ付加部によってタグが付加されたタグ付き返信パケットを前記通信端末に送信することを特徴とするパケット処理装置。
【請求項２】
前記タグ付き受信パケットがユニキャストパケットまたはブロードキャストパケットである場合、
前記タグ保存部のメモリ領域は、タグ付きのユニキャストパケットから分離されたタグを保存するための領域と、タグ付きのブロードキャストパケットから分離されたタグを保存するための領域と、に分かれていることを特徴とする請求項１記載のパケット処理装置。
【請求項３】
前記タグ付き受信パケットがフレームリレー網を介して伝送され得る場合、
前記タグ保存部のメモリ領域は、前記フレームリレー網を介して伝送されたパケットから分離されたタグを保存するための領域と、前記フレームリレー網以外の網を介して伝送されたパケットから分離されたタグを保存するための領域と、に分かれていることを特徴とする請求項１または２記載のパケット処理装置。
【発明の詳細な説明】
【０００１】
【発明の属する技術分野】
本発明は、フレームリレー方式のフレームに必要なＤＬＣＩ（データリンクコネクション識別子）の設定を容易に行うことのできるパケット処理装置に関する。
【０００２】
【従来の技術】
従来のフレームリレー伝送装置としては、例えば図５に示すようなものがある。図５は、従来のフレームリレー伝送装置１００を含む通信システムの構成例を示すブロック図である。図５に示す通信システムは、フレームリレー伝送装置１００と、通信端末１０１と、対向装置１０３と、フレームリレー網１０２と、保守コンソール１０４とから構成されている。
【０００３】
フレームリレー伝送装置１００は、通信端末１０１におけるデータのフレーム形式とフレームリレー網１０２を伝送するデータのフレーム形式（以下「フレームリレー方式」という。）を相互に変換するフレーム変換部２と、保守コンソール１０４で設定された後述するＤＬＣＩ（データリンクコネクション識別子：Ｄａｔａ　Ｌｉｎｋ　Ｃｏｎｎｅｃｔｉｏｎ　Ｉｄｅｎｔｉｆｉｅｒ）の値をフレーム変換部２に伝送する中央処理部１１と、通信端末１０１とフレームリレー伝送装置１００とのインタフェースである端末Ｉ／Ｆ部３と、フレームリレー網１０２とフレームリレー伝送装置１００とのインタフェースであるフレームリレーＩ／Ｆ部４と、保守コンソール１０４とフレームリレー伝送装置１００とのインターフェースである保守コンソールＩ／Ｆ部５とを備えて構成されている。
【０００４】
通信端末１０１は、例えば、イーサネット等を介してフレームリレー伝送装置１００に接続された端末であり、フレームリレー伝送装置１００およびフレームリレー網１０２を介して、対向装置１０３との間でデータを送受信するものである。対向装置１０３は、フレームリレー網１０２に接続され、フレームリレー伝送装置１００を介して、通信端末１０１との間でデータを送受信するものである。
【０００５】
保守コンソール１０４は、フレームリレー伝送装置１００に接続されており、回線単位に例えば１６〜４７の範囲でＤＬＣＩ（データリンクコネクション識別子）の値が予め設定されたテーブル（以下、ＤＬＣＩテーブルという。）を有し、新たなＤＬＣＩを設定する度にＤＬＣＩテーブルの更新を行うものである。また、保守コンソール１０４は、保守コンソールＩ／Ｆ部５を介してフレームリレー伝送装置１００の中央処理部１１から、ＭＡＣアドレス等の通信端末１０１（送信元）に関する情報および対向装置１０３（送信先）に関する情報を受け取ると、ＤＬＣＩテーブルを参照して通信端末１０１に対応付けたＤＬＣＩの値および対向装置１０３に対応付けたＤＬＣＩの値をフレームリレー伝送装置１００内の中央処理部１１に送信する。
【０００６】
なお、ＤＬＣＩは、フレームリレー伝送装置１００と対向装置１０３との間の物理的な通信路中に設定される複数の論理的な通信路（データリンク）をそれぞれ識別するための識別子であり、フレームリレー方式のフレームのヘッダを構成するために必要な情報である。また、「新たなＤＬＣＩの設定」とは、新たにデータリンクが設定される際に送信元および送信先に対してそれぞれＤＬＣＩを個別に設定することである。
【０００７】
次に、図５を参照して通信端末１０１から対向装置１０３へデータ伝送する場合（上り方向の場合）における、従来のフレームリレー伝送装置の動作について説明する。
【０００８】
通信端末１０１から送信されたデータ（例えば、ＭＡＣフレーム）は、フレームリレー伝送装置１００内の端末Ｉ／Ｆ部３で受信され、フレーム変換部２へ伝送される。フレーム変換部２は、当該データを受信すると、当該データのフレーム形式をフレームリレー方式に変換する。このとき、フレーム変換部２は、中央処理部１１に対して、通信端末１０１（送信元）および対向装置１０３（送信先）のそれぞれに対応付けられたＤＬＣＩを伝送するよう指示する。中央処理部１１は、保守コンソール１０４に対して通信端末１０１および対向装置１０３に関する情報を送信し、保守コンソール１０４によって設定されたＤＬＣＩの値をフレーム変換部１０２に伝送する。そして、フレーム変換部２は、当該ＤＬＣＩの値をヘッダに付加してフレームリレーの形式に変換する。フレーム変換部２によって変換されたフレームリレー方式のデータは、フレームリレーＩ／Ｆ部４およびフレームリレー網１０２を介して対向装置１０３へ伝送される。
【０００９】
【発明が解決しようとする課題】
しかしながら、上述したように、上記従来のフレームリレー伝送装置１００にあっては、通信端末１０１から伝送されたデータをフレーム変換部２でフレームリレー方式に変換する際にＤＬＣＩが必要となるため、中央処理部１１は保守コンソール１０４に対してＤＬＣＩを伝送するよう指示している。保守コンソール１０４はフレームリレー伝送装置１００外部に設けられているため、ＤＬＣＩ伝送指示およびＤＬＣＩの伝送はＬＡＮ等のネットワークを介して行わなければならず、かつ、これに伴ってＤＬＣＩテーブルの更新も行わなければならない。また、ＤＬＣＩ伝送指示および設定されたＤＬＣＩがネットワークを介して伝送されるため、伝送遅延も考えられる。このように、ＤＬＣＩの設定に関する処理は容易とは言えず、改善の余地があった。
【００１０】
本発明は、上記従来の事情に鑑みてなされたものであって、ＤＬＣＩの設定を容易に行うことのできるフレームリレー伝送装置を提供することを目的としている。
【００１１】
【課題を解決するための手段】
本発明のパケット処理装置は、通信端末から伝送されたタグ付き受信パケットの宛先アドレスが自装置宛であるかを判断する宛先判断部と、宛先アドレスが自装置宛のタグ付き受信パケットからタグを分離するタグ分離部と、前記タグ分離部で分離されたタグを保存するタグ保存部と、前記タグ分離部によってタグが分離されたタグなし受信パケットの内容に応じて所定の処理を行い、タグなし返信パケットを生成するパケット処理部と、前記タグなし返信パケットに前記タグ保存部に保存されているタグを付加するタグ付加部と、を備え、前記タグ付加部によってタグが付加されたタグ付き返信パケットを前記通信端末に送信するものである。したがって、送信元の端末およびパケット処理装置のＶＬＡＮの設定に関わらず、容易に相互通信を行うことができる。
【００１２】
また、本発明のパケット処理装置は、前記タグ付き受信パケットがユニキャストパケットまたはブロードキャストパケットである場合、前記タグ保存部のメモリ領域は、タグ付きのユニキャストパケットから分離されたタグを保存するための領域と、タグ付きのブロードキャストパケットから分離されたタグを保存するための領域と、に分かれていることが望ましい。
【００１３】
さらに、本発明のパケット処理装置は、前記タグ付き受信パケットがフレームリレー網を介して伝送され得る場合、前記タグ保存部のメモリ領域は、前記フレームリレー網を介して伝送されたパケットから分離されたタグを保存するための領域と、前記フレームリレー網以外の網を介して伝送されたパケットから分離されたタグを保存するための領域と、に分かれていることが望ましい。
【００１４】
【発明の実施の形態】
〔フレームリレー伝送装置〕
まず、本発明のフレームリレー伝送装置の一実施形態を説明する。
図１は、本発明のフレームリレー伝送装置の一実施形態を含む通信システムの構成を示すブロック図である。同図に示すように、本実施形態の通信システムは、フレームリレー伝送装置５０と、通信端末１０１と、対向装置１０３と、フレームリレー網１０２とから構成されている。なお、フレームリレー網１０２はフレームリレー伝送装置５０と対向装置１０３との間に設けられている。また、通信端末１０１とフレームリレー伝送装置５０とはイーサネットによって接続されている。
【００１５】
通信端末１０１は、フレームリレー伝送装置５０およびフレームリレー網１０２を介して、対向装置１０３との間でデータを送受信するものである。対向装置１０３は、フレームリレー網１０２に接続され、フレームリレー伝送装置１００を介して、通信端末１０１との間でデータを送受信するものである。
【００１６】
フレームリレー伝送装置５０は、フレーム変換部２と、特許請求の範囲のＤＬＣＩ取得部に該当する中央処理部１と、ＤＬＣＩ設定部に該当するＤＬＣＩ設定用スイッチ部６と、端末Ｉ／Ｆ部３と、フレームリレーＩ／Ｆ部４とを備えて構成されており、通信端末１０１と対向装置１０３との間でデータ伝送の中継を行うものであり、上り下り共にフレーム形式を変換するものである。以下、本実施形態のフレームリレー伝送装置５０が有する各構成要素について説明する。
【００１７】
まず、フレーム変換部２について説明する。フレーム変換部２は、通信端末１０１から対向装置１０３へデータ伝送する場合（上り方向の場合）、通信端末１０１から伝送されたデータのフレーム形式（ＭＡＣフレーム等）をフレームリレー網１０２を伝送するデータのフレーム形式（以下「フレームリレー方式」という。）に変換するものである。但し、フレームリレー方式のフレームには、そのヘッダにＤＬＣＩ（データリンクコネクション識別子：Ｄａｔａ　Ｌｉｎｋ　Ｃｏｎｎｅｃｔｉｏｎ　Ｉｄｅｎｔｉｆｉｅｒ）が必要である。したがって、フレーム変換部２は、フレームリレー方式に変換する際、ＤＬＣＩ設定用スイッチ部６によって設定されたＤＬＣＩの値を当該フレームのヘッダに付加する。フレーム変換部２は、このようにして変換されたフレームリレー方式のデータを、フレームリレーＩ／Ｆ部４を介してフレームリレー網１０２に送信する。
【００１８】
なお、ＤＬＣＩは、フレームリレー伝送装置５０と対向装置１０３との間の物理的な通信路中に設定される複数の論理的な通信路（データリンク）をそれぞれ識別するための識別子であり、フレームリレー方式のフレームのヘッダを構成するために必要な情報である。
【００１９】
一方、フレーム変換部２は、対向装置１０３から通信端末１０１へデータ伝送する場合（下り方向の場合）、フレームリレー網１０２を介して対向装置１０３から伝送されたフレームリレー方式のデータを通信端末１０１におけるフレーム形式に変換するものである。このとき、フレーム変換部２は、フレームリレー網１０２を介して伝送されたデータを受信すると、当該データのフレームからＤＬＣＩを分離する。
【００２０】
次に、中央処理部１について説明する。中央処理部１は、フレーム変換部２における上り方向の際のフレーム変換時に必要となるＤＬＣＩを、フレーム変換部２からの指示に応じてＤＬＣＩ設定用スイッチ６から取得したり、当該取得したＤＬＣＩをフレーム変換部２に伝送するものである。なお、中央処理部１には、フレーム変換部２からＤＬＣＩ取得指示と共に、ＭＡＣアドレス等の通信端末１０１（送信元）に関する情報および対向装置１０３（送信先）に関する情報が与えられ、中央処理部１はこれらの情報をＤＬＣＩ設定用スイッチ部６に伝送する。
【００２１】
次に、ＤＬＣＩ設定用スイッチ部６について説明する。ＤＬＣＩ設定用スイッチ部６は、ＤＬＩ伝送部１１からのＤＬＣＩ取得指示に基づいて、新しく設定されるデータリンクの送信元および送信先に対してそれぞれＤＬＣＩの値を個別に設定するものである。なお、ＤＬＣＩ設定用スイッチ部６におけるＤＬＣＩの設定は、１〜１０２４等の数字を表現可能な物理スイッチによって行われる。物理スイッチは、例えば、ロータリースイッチやディップスイッチ、デジタルスイッチ、ダイヤルスイッチ等である。
【００２２】
端末Ｉ／Ｆ部３は、通信端末１０１とフレームリレー伝送装置５０とのインタフェースである。また、フレームリレーＩ／Ｆ部４は、フレームリレー網１０２とフレームリレー伝送装置５０とのインタフェースである。
【００２３】
次に、図１を参照して通信端末１０１から対向装置１０３へデータ伝送する場合（上り方向の場合）における、本実施形態のフレームリレー伝送装置５０の動作について説明する。
【００２４】
通信端末１０１から送信されたデータ（例えば、ＭＡＣフレーム）は、フレームリレー伝送装置５０内の端末Ｉ／Ｆ部３で受信され、フレーム変換部２へ伝送される。フレーム変換部２は、当該データを受信すると、当該データのフレーム形式をフレームリレー方式に変換する。このとき、フレーム変換部２は、中央処理部１に対して、通信端末１０１（送信元）および対向装置１０３（送信先）のそれぞれに対応付けられたＤＬＣＩを伝送するよう指示する。中央処理部１は、ＤＬＣＩ設定用スイッチ部６に対して通信端末１０１および対向装置１０３に関する情報を送信し、ＤＬＣＩ設定用スイッチ部６によって設定されたＤＬＣＩの値をフレーム変換部１０２に伝送する。そして、フレーム変換部２は当該ＤＬＣＩの値をヘッダに付加してフレームリレーの形式に変換する。フレーム変換部２によって変換されたフレームリレー方式データは、フレームリレーＩ／Ｆ部４およびフレームリレー網１０２を介して対向装置１０３へ伝送される。
【００２５】
次に、対向装置１０３から通信端末１０１へデータ伝送する場合（下り方向の場合）における、本実施形態のフレームリレー伝送装置５０の動作について簡単に説明する。対向装置１０３から送信され、フレームリレー網１０２を介してフレームリレー伝送装置５０に伝送されたフレームリレー方式のデータは、フレーム変換部２で通信端末１０１におけるフレーム形式（例えば、ＭＡＣフレーム）に変換される。このとき、フレーム変換部２は、当該フレームリレー方式のフレームのヘッダからＤＬＣＩを切り分けて変換後のフレーム形式に再構成する。フレーム変換部２によって変換されたデータは、通信端末１０１へ伝送される。
【００２６】
以上説明したように、本実施形態のフレームリレー伝送装置５０によれば、通信端末１０１からの伝送データに対してフレームリレー方式にフレーム変換する際に必要とされるＤＬＣＩが、当該装置５０内に設けられているＤＬＣＩ設定用スイッチ部６から得られる。また、ＤＬＣＩ設定用スイッチ部６は、物理スイッチによって実現されているため、ＤＬＣＩの設定に関する処理を容易に行うことができる。
【００２７】
なお、本実施形態では、通信端末１０１がイーサネットに接続されているが、ＡＴＭ網やシリアル接続等であっても良い。また、本実施形態のフレームリレー伝送装置の適用例としては、例えば、ＩＰ電話（インターネットプロトコルを用いる電話）や、ネットワーク監視等のサービスが考えられる。
【００２８】
〔パケット処理装置〕
次に、本発明のパケット処理装置の一実施形態を説明する。
まず、従来の技術について簡単に説明する。従来より、通信網に接続されている複数の端末に仮想ＬＡＮ（ＶＬＡＮ）の設定が行われているとき、当該ＶＬＡＮを伝送するパケットには、当該パケットが所属するＶＬＡＮを識別するための識別子であるＶＬＡＮタグ（以下、単に「タグ」という。）が付加されている。パケットに付加されたタグには、当該パケットの送信元および送信先が所属するＶＬＡＮを識別する情報が含まれている。以下、複数の端末（端末１〜端末１０）およびパケット処理装置（パケット処理装置１，パケット処理装置２）がイーサネットに接続されており、端末１〜端末５およびパケット処理装置１は第１のＶＬＡＮに属しており、端末６〜端末１０およびパケット処理装置２は第２のＶＬＡＮに属している場合について説明する。
【００２９】
まず、第１のＶＬＡＮに属している端末１からパケット処理装置１にＩＣＭＰのエコー要求のパケットを送信する場合について説明する。端末１から送信されたパケットは、パケット処理装置１に伝送される。パケット処理装置１は、当該パケットに付加されているタグを参照して、当該パケットの送信元である端末１が属するＶＬＡＮを判断する。端末１はパケット処理装置１と同じＶＬＡＮに属しているため、所定の処理を行った後、当該パケットに対する応答パケットを端末１に送る。
【００３０】
次に、第１のＶＬＡＮに属している端末１が、第２のＶＬＡＮに属しているパケット処理装置２にＩＣＭＰのエコー要求のパケットを送信する場合について説明する。端末１から送信されたパケットは、パケット処理装置２に伝送される。パケット処理装置２は、当該パケットに付加されているタグを参照して、当該パケットの送信元である端末１が属するＶＬＡＮを判断する。端末１はパケット処理装置２と同じＶＬＡＮに属していないため、所定の処理を行わない。結果として、端末１はエコー要求に対する応答パケットを受信することができない。
【００３１】
このように、送信元の端末とパケット処理装置とが同一のＶＬＡＮに属していない場合、容易に相互通信を行うことができないという問題があった。
【００３２】
本発明のパケット処理装置は、上記問題に鑑みてなされたものであって、送信元の端末およびパケット処理装置のＶＬＡＮの設定に関わらず、容易に相互通信を行うことのできるパケット処理装置を提供することを目的とする。
【００３３】
図２は、タグ付きパケットのフォーマットを示す図である。図２に示すように、タグは、イーサネットフレームのヘッダ中に含まれている。なお、タグは中央処理部１２での処理には不要な情報である。
【００３４】
図３は、本実施形態のパケット処理装置を含む通信システムの構成を示すブロック図である。本実施形態の通信システムは、パケット処理装置６０と、通信端末１０１と、対向装置１０３と、フレームリレー網１０２とから構成されている。本実施形態のパケット処理装置６０は、宛先判断部１０と、特許請求の範囲のパケット処理部に該当する中央処理部１２と、端末Ｉ／Ｆ部３と、フレームリレーＩ／Ｆ部４と、ＶＬＡＮ変換部７とを備えて構成されている。
【００３５】
以下、本実施形態に係るパケット処理装置６０が有する各構成要素について説明する。
まず、宛先判断部１０について説明する。宛先判断部１０は、通信端末１０１から伝送されたパケットの宛先アドレスがパケット処理装置６０であるかを判断するものである。当該伝送パケットの宛先アドレスがパケット処理装置６０であれば、宛先判断部１０は、ＶＬＡＮ変換部７に当該パケットを伝送する。
【００３６】
次に、ＶＬＡＮ変換部７について説明する。ＶＬＡＮ変換部７は、図４に示すように、タグ付きパケット受信キュー７０１と、タグ分離部７０２と、タグ付加部７０３と、タグ保存部に該当するタグ保存メモリ７０４と、タグ付きパケット送信キュー７０５とを有するものである。図４は、本実施形態のパケット処理装置６０が有するＶＬＡＮ変換部７の内部構成を示すブロック図である。
【００３７】
タグ付きパケット受信キュー７０１は、宛先判断部１０から伝送されたパケットを受信し、当該パケットがタグ付きパケットであれば、当該タグ付きパケット（以下「タグ付きパケット７５」という。）を一旦保持するものである。また、タグ付きパケット受信キュー７０１は、後述するタグ分離部７０２によってタグが分離されたタグ付きパケット７５（以下「タグなしパケット７６」という。）を中央処理部１２に送信するものである。
【００３８】
タグ分離部７０２は、タグ付きパケット受信キュー７０１で保持されているタグ付きパケット７５からタグを分離するものである。タグ保存メモリ７０４は、タグ分離部７０２によってタグ付きパケット７５から分離されたタグを保存するものである。
【００３９】
タグ付加部７０３は、中央処理部１２から送信され、後述するタグ付きパケット送信キュー７０５で保持されているタグのないパケット（以下「タグなしパケット７７」という。）に、タグ保存メモリ７０４に保存されているタグを付加するものである。
【００４０】
タグ付きパケット送信キュー７０５は、中央処理部１２から送信されたタグなしパケット７７を受信し、一旦保持するものである。また、タグ付きパケット送信キュー７０５は、タグ付加部７０３によってタグが付加されたタグ付きパケット（以下「タグ付きパケット７８」という。）を送信するものである。
【００４１】
次に、中央処理部１２について説明する。中央処理部１２は、ＶＬＡＮ変換部７から伝送されたタグなしパケット７６を受信し、当該パケットの内容に応じて所定の処理を行うものである。前記所定の処理とは、例えば、タグなしパケット７６がＩＣＭＰのエコー要求である場合、通信端末１０１がフレームリレー網１０２に接続可能であるかを調べた後、ＩＣＭＰのエコー応答のパケットをタグなしパケット７７としてＶＬＡＮ変換部７に送信することである。なお、中央処理部１２での処理にタグは不要である。
【００４２】
端末Ｉ／Ｆ部３は、通信端末１０１とフレームリレー伝送装置５０とのインタフェースであり、フレームリレーＩ／Ｆ部４は、フレームリレー網１０２とフレームリレー伝送装置５０とのインタフェースである。
【００４３】
次に、図３および図４を参照して、本実施形態のパケット処理装置の動作について説明する。なお、以下の説明では、通信端末１０１が、パケット処理装置６０に対してＩＣＭＰのエコー要求を行う場合について説明する。
【００４４】
まず、通信端末１０１からパケット処理装置６０宛てに、タグ付きパケット７５としてエコー要求が送信されると、当該パケットは、パケット処理装置６０内の端末Ｉ／Ｆ部３で受信され、宛先判断部１０に伝送される。宛先判断部１０は、当該パケットの宛先アドレスがパケット処理装置６０であることを判断すると、当該パケットをＶＬＡＮ変換部７に伝送する。タグ付きパケット受信キュー７０１は、ＶＬＡＮ変換部７に伝送されたタグ付きパケット７５を受信すると共に保持する。次に、タグ分離部７０２は、タグ付きパケット受信キュー７０１に保持されているタグ付きパケット７５からタグを分離する。つまり、タグ付きパケット７５は、タグとタグなしパケット７６とに分離される。当該分離されたタグはタグ保存メモリ７０４に保存され、一方、タグなしパケット７６は中央処理部１２に伝送される。
【００４５】
中央処理部１２は、ＶＬＡＮ変換部７から伝送されたタグなしパケット７６を受信する。当該パケットの内容はエコー要求であるため、中央処理部１２は、通信端末１０１がフレームリレー網１０２に接続可能であるかを調べた後、ＩＣＭＰのエコー応答をタグなしパケット７７としてＶＬＡＮ変換部７に送信する。ＶＬＡＮ変換部７が有するタグ付きパケット送信キュー７０５は、中央処理部１２から伝送されたタグなしパケット７７を受信し、一旦保持する。その後、タグ付加部７０３は、タグ保存メモリ７０４からタグを取り出し、タグなしパケット７７に当該タグを付加する。つまり、タグなしパケット７７は、タグが付加されてタグ付きパケット７８となる。次に、タグ付きパケット送信キュー７０５は、タグ付きパケット７８を宛先判断部１０に送信する。宛先判断部１０は、端末Ｉ／Ｆ部３を介してタグ付きパケット７８を通信端末１０１に伝送する。
【００４６】
以上説明したように、本実施形態のパケット処理装置６０では、通信端末１０１から伝送されたタグ付きパケット７５の宛先がパケット処理装置６０であれば、当該タグ付きパケット７５からタグを分離した後、パケットの内容に応じた処理を行い、当該タグが付加されたＩＣＭＰのエコー応答をタグ付きパケット７８として通信端末１０１に送信する。したがって、通信端末１０１およびパケット処理装置６０のＶＬＡＮの設定に関わらず、パケット処理装置６０は通信端末１０１から送信されたパケットを受信することができるため、結果として、要求に対する応答といった相互通信を容易に行うことが可能となる。
【００４７】
なお、以上の説明においては、ＩＣＭＰのエコー要求を通信端末１０１から送信する場合について説明したが、送信するパケットは、ｔｅｌｎｅｔの要求等、ユニキャストパケットやＡＲＰ（アドレス解決プロトコル：Ａｄｄｒｅｓｓ　Ｒｅｓｏｌｕｔｉｏｎ　Ｐｒｏｔｏｃｏｌ）等のブロードキャストパケットであっても良い。この場合、タグ保存メモリ７０４のメモリ領域は、タグ付きパケット７５の種類によって、ユニキャスト用領域とブロードキャスト用領域とに分かれていることが望ましい。
【００４８】
また、タグ付きパケット７５は、通信端末１０１からではなくフレームリレー網１０２を介して対向装置１０３から送信されても良い。この場合、送信元によって、通信端末用領域とフレームリレー網用領域とに分かれていることが望ましい。
【００４９】
なお、本実施形態では、通信端末１０１がイーサネットに接続されているが、ＡＴＭ網やシリアル接続等であっても良い。また、本実施形態のパケット処理装置の適用例としては、例えば、ＩＰ電話（インターネットプロトコルを用いる電話）や、ネットワーク監視等のサービスが考えられる。
【００５０】
【発明の効果】
以上説明したように、本発明に係るパケット処理装置によれば、送信元の端末およびパケット処理装置のＶＬＡＮの設定に関わらず、容易に相互通信を行うことができる。
【図面の簡単な説明】
【図１】本発明の一実施形態に係るフレーム伝送装置を含む通信システムの構成例を示すブロック図である。
【図２】本発明の一実施形態に係るパケット処理装置のＶＬＡＮタグ付きパケットのフォーマットを示す図である。
【図３】本発明の一実施形態に係るパケット処理装置を含む通信システムの構成例を示すブロック図である。
【図４】本発明の一実施形態に係るパケット処理装置のＶＬＡＮ変換部７の内部構成を示すブロック図である。
【図５】従来のフレームリレー伝送装置を含む通信システムの構成例を示すブロック図である。
【符号の説明】
１０１　通信端末
１０２　フレームリレー網
１０３　対向装置
１，１１，１２　中央処理部
２　フレーム変換部
３　端末Ｉ／Ｆ部
４　フレームリレーＩ／Ｆ部
６　ＤＬＣＩ設定用スイッチ部
７　ＶＬＡＮ変換部
１０　宛先判断部
５０　フレームリレー伝送装置
６０　パケット処理装置
７０１　タグ付きパケット受信キュー
７０２　タグ分離部
７０３　タグ付加部
７０４　タグ保存メモリ
７０５　タグ付きパケット送信キュー
【図１】
2004088718.tif 000003
【図２】
2004088718.tif 000004
【図３】
2004088718.tif 000005
【図４】
2004088718.tif 000006
【図５】
2004088718.tif 000007